(57)【特許請求の範囲】
【請求項１】
かご内に乗客が閉じ込められた閉じ込め故障の発生の有無を判定する閉じ込め故障判定部と、
前記かご内の乗客の種別及び人数を判別する乗客判定部と、
前記閉じ込め故障判定部が前記閉じ込め故障の発生有と判定した場合に、当該判定から予め設定された所定時間が経過したとき、管制センターに通報を行う通報処理制御部と、
前記閉じ込め故障判定部が閉じ込め故障の発生有と判定した場合に、前記乗客判定部が判別した前記かご内の乗客の種別及び人数が、予め設定された特定の条件を満たすとき、前記所定時間を短く変更する通報開始時限変更部と、を備え、
前記乗客判定部が判別した特定の条件の少なくとも１つとして、前記かご内の全ての乗客の身長が所定の身長未満である場合を含む
エレベーター制御装置。
【請求項２】
さらに、前記乗客判定部が判定する特定の条件として、前記かご内の全ての乗客が車椅子利用者である場合を含む
請求項１に記載のエレベーター制御装置。
【請求項３】
さらに、前記乗客判定部が判定する特定の条件として、前記かご内の乗客の人数が所定の人数未満である場合を含む
請求項１又は２に記載のエレベーター制御装置。
【請求項４】
かご内に乗客が閉じ込められた閉じ込め故障の発生の有無を判定する閉じ込め故障判定部と、
前記かご内の乗客の種別及び人数を判別する乗客判定部と、
前記閉じ込め故障判定部が前記閉じ込め故障の発生有と判定した場合に、当該判定から予め設定された所定時間が経過したとき、管制センターに通報を行う通報処理制御部と、
前記閉じ込め故障判定部が閉じ込め故障の発生有と判定した場合に、前記乗客判定部が判別した前記かご内の乗客の種別及び人数が、予め設定された特定の条件を満たすとき、前記所定時間を短く変更する通報開始時限変更部と、を備え、
前記乗客判定部が判別した特定の条件として、前記かご内の乗客の身長の情報と、前記かご内の乗客が車椅子利用者であるか否かの情報と、前記かご内の乗客が所定の器具を所持しているか否かの情報と、前記かご内の乗客の人数の情報との、少なくとも２つの前記情報の組み合わせに基づいて定められる
エレベーター制御装置。
【請求項５】
エレベーター制御装置と管制センターから構成されるエレベーター制御システムであって、
前記エレベーター制御装置は、
かご内の状況を判定する監視装置と、
前記かご内に乗客が閉じ込められた閉じ込め故障の発生の有無を判定する閉じ込め故障判定部と、
前記監視装置での判定状況に基づいて、前記かご内の乗客の種別及び人数を判別する乗客判定部と、
前記閉じ込め故障判定部が閉じ込め故障の発生有と判定した場合に、当該判定から予め設定された所定時間が経過したとき、前記管制センターに通報を行う通報処理制御部と、
前記閉じ込め故障判定部が閉じ込め故障の発生有と判定した場合に、前記乗客判定部が判別した前記かご内の乗客の種別及び人数が、予め設定された特定の条件を満たすとき、前記所定時間を短く変更する通報開始時限変更部と、を備え、
前記管制センターは、
前記通報処理制御部からの通報があったとき、該当するエレベーターの異常を監視作業者に通知するものであり、
前記エレベーター制御装置の前記乗客判定部が判別した特定の条件の少なくとも１つとして、前記かご内の全ての乗客の身長が所定の身長未満である場合を含む
エレベーター制御システム。
【請求項６】
エレベーター制御装置と管制センターから構成されるエレベーター制御システムであって、
前記エレベーター制御装置は、
かご内の状況を判定する監視装置と、
前記かご内に乗客が閉じ込められた閉じ込め故障の発生の有無を判定する閉じ込め故障判定部と、
前記監視装置での判定状況に基づいて、前記かご内の乗客の種別及び人数を判別する乗客判定部と、
前記閉じ込め故障判定部が閉じ込め故障の発生有と判定した場合に、当該判定から予め設定された所定時間が経過したとき、前記管制センターに通報を行う通報処理制御部と、
前記閉じ込め故障判定部が閉じ込め故障の発生有と判定した場合に、前記乗客判定部が判別した前記かご内の乗客の種別及び人数が、予め設定された特定の条件を満たすとき、前記所定時間を短く変更する通報開始時限変更部と、を備え、
前記管制センターは、
前記通報処理制御部からの通報があったとき、該当するエレベーターの異常を監視作業者に通知するものであり、
前記エレベーター制御装置の前記乗客判定部が判別した特定の条件として、前記かご内の乗客の身長の情報と、前記かご内の乗客が車椅子利用者であるか否かの情報と、前記かご内の乗客が所定の器具を所持しているか否かの情報と、前記かご内の乗客の人数の情報との、少なくとも２つの前記情報の組み合わせに基づいて定められる
エレベーター制御システム。
【発明の詳細な説明】
【技術分野】
【０００１】
本発明は、エレベーター制御装置及びエレベーター制御システムに関する。
【背景技術】
【０００２】
エレベーターのかごには、通報ボタンやインターホンが取付けられ、閉じ込め故障などの緊急事態発生時に、通報ボタンを使用して管制センターに通報できると共に、インターホンを介して管制センターの監視員と通話が可能になっている。
閉じ込められた乗客と管制センターの監視員とが通話することにより、かご内の状況を確認できると共に、作業員が現場に到着するまで会話を行うことで、かご内の乗客の不安感を軽減させるなどの効果がある。
【０００３】
通常、管制センターへの故障情報通報や通話の多発を防止する目的で、かご内の通報ボタンが押されてから、一定の時間（例えば数十秒）が経過した後に、エレベーターの制御装置が、管制センターに通報を行うようにしている。このように一定の時間連続して通報ボタンが押されたとき通報や通話を行うことで、乗客が誤って一時的にボタンが押された場合や、故障が一時的なもので直ぐに復旧した場合には、通報が行われることがなく、適切な通報や通話の管理を行うことができる。
【０００４】
特許文献１には、乗客が乗りかごに閉じ込められたときには、乗りかご内の外部呼び出しスイッチが押された状態になり、自動的に管制センターに通報が行われるエレベーターの通報装置について開示されている。つまり、特許文献１には、乗客が乗りかごに閉じ込められたときに自動的に管制センターに通報がなされるため、乗客の操作が不要な自動通報装置が開示されている。
【先行技術文献】
【特許文献】
【０００５】
【特許文献１】特開２０００−７２３４８号公報
【発明の概要】
【発明が解決しようとする課題】
【０００６】
特許文献１に記載されるように、乗客が乗りかごに閉じ込められた状態を検知して、乗りかごが自動的に監視センターに通報を行うようにした場合であっても、状況によっては、管制センターで通報に応答するまでに時間がかかるケースが想定される。例えば、地震や停電などの発生で、ほぼ同時に多数のエレベーターで乗客が閉じ込められる事態が発生し、管制センターに同時に多数のエレベーターからの通話要請が届いたとする。このとき、管制センターの管制作業者は、管制状況を表示する画面を見ながら、通話要請があるエレベーターに順番に応答する作業を行うことになり、閉じ込められてから、最後に応答作業が行われるまでにそれなりの時間を要する場合が起こり得る。
【０００７】
従来、このような多数のエレベーターからの通報が同時にあったとしても、管制センターで応答を行う順序は、例えば通報を受信した順番などで単純に決まるため、即時に通話する必要がある閉じ込め乗客に対する対応が遅れるという問題があった。
【０００８】
本発明の目的は、かかる課題に鑑み、エレベーターかご内に乗客が閉じ込められる事態が発生した際の通報が、迅速な通報が必要な乗客が乗ったかごで、待ち時間なく行えるようにすることにある。
【課題を解決するための手段】
【０００９】
上記課題を解決するために、例えば特許請求の範囲に記載の構成を採用する。
本願は上記課題を解決する手段を複数含んでいるが、その一例を挙げるならは、かご内に乗客が閉じ込められた閉じ込め故障の発生の有無を判定する閉じ込め故障判定部と、かご内の乗客の種別及び人数を判別する乗客判定部と、閉じ込め故障判定部が閉じ込め故障の発生有と判定した場合に、当該判定から予め設定された所定時間が経過したとき、管制センターに通報を行う通報処理制御部と、閉じ込め故障判定部が閉じ込め故障の発生有と判定した際に、乗客判定部が判別したかご内の乗客の種別及び人数が、予め設定された特定の条件を満たすとき、所定時間を短く変更する通報開始時限変更部とを備え、乗客判定部が判別した特定の条件の少なくとも１つとして、かご内の全ての乗客の身長が所定の身長未満である場合を含むものである。
【発明の効果】
【００１０】
本発明によれば、緊急度が高い乗客が乗ったかごに対して、優先的に通報処理が行われ、管制センターの管制作業員は、該当するかご内の乗客と優先的に通話などの対処ができるようになる。したがって、地震や停電などの発生で、閉じ込め故障が同時期に多発した場合でも、本発明によると、即時に通話しなければならない閉じ込め乗客に迅速に対処できるようになる。
上記した以外の課題、構成及び効果は、以下の実施形態の説明により明らかにされる。
【図面の簡単な説明】
【００１１】
【図１】本発明の一実施の形態例によるシステム全体の構成例を示す構成図である。
【図２】本発明の一実施の形態例によるエレベーターの故障発生時の制御処理を示すフローチャートである。
【図３】本発明の一実施の形態例によるかご内の乗客の判断例を示す説明図である。
【図４】本発明の一実施の形態例による監視センターでの監視画面の一例を示す説明図である。
【発明を実施するための形態】
【００１２】
以下、本発明の一実施の形態の例（以下、「本例」と称する。）を、図１〜図４を参照して説明する。
［１．システム全体の構成例］
図１は、エレベーター全体の構成を示す。
エレベーターのかご１は、乗客が乗降するドア２を備える。後述する閉じ込め故障が発生すると、かご１内に乗客が取り残された状態で、ドア２を開けることができない状況になる。
かご１内には、ステレオカメラ３とインターホン４とが配置されている。ステレオカメラ３は、かご１内の様子を撮影する２台のカメラを備え、立体画像の撮影を行う。インターホン４には、管制センター１６を呼び出すための通報ボタンと、管制センター１６と通話を行うためのマイクロホンやスピーカーが配置されている。
【００１３】
ステレオカメラ３が撮影した画像は、画像監視装置５に伝送される。画像監視装置５は、乗客有無判定部６、乗客種別判定部７、及び同乗者有無判定部８を備える。この画像監視装置５は、ステレオカメラ３が撮影した画像を録画し、録画中の画像からかご１内の乗客についての判定処理を行う。
乗客有無判定部６は、ステレオカメラ３が撮影した画像から、かご１内の乗客の有無を判定する。
乗客種別判定部７は、ステレオカメラ３が撮影した画像から、かご１内の乗客の種別を判別する。ここでは乗客種別判定部７が、健常者（大人）、子供、車椅子利用者の３つの種別を判別する。健常者と子供は、例えばステレオカメラ３が撮影した立体画像から、乗客の身長が所定の閾値以上か、閾値未満かによって区別される。車椅子利用者は、例えば車椅子に相当する画像の認識処理で判別される。
同乗者有無判定部８は、ステレオカメラ３が撮影した画像から、かご１内の乗客が１人か複数かを判別する。
【００１４】
画像監視装置５の各判定部６，７．８で判定した結果は、エレベーター制御装置９に伝送される。エレベーター制御装置９は、エレベーターのかご１の走行を制御する。また、エレベーター制御装置９は、エレベーターの故障状態の監視及び通報を制御する。このエレベーターの故障状態の監視及び通報の制御のために、エレベーター制御装置９は、エレベーター故障発生判定部１０、閉じ込め故障判定部１１、かご内乗客判定部１２、通報処理制御部１３、及び通報開始時限変更部１４を備える。
【００１５】
エレベーター故障発生判定部１０は、エレベーターの各種信号から故障状態の発生を監視する。ここでの故障状態には、エレベーターの走行機構などの異常による故障状態の他、地震計が所定以上の揺れを検知して、エレベーター制御装置９が強制的にかご１の走行を停止させた場合や、停電によりかご１が停止した場合も含まれる。
【００１６】
閉じ込め故障判定部１１は、エレベーター故障発生判定部１０が故障発生を判定したときに、かご内乗客判定部１２での判定結果に基づいて、かご１内に乗客が閉じ込められた状態となる、いわゆる閉じ込め故障の発生の有無を判定する。
かご内乗客判定部１２は、画像監視装置５の乗客有無判定部６での判定結果から、かご１内の乗客の有無の判定結果の情報を生成し、生成した乗客の有無の判定結果の情報を閉じ込め故障判定部１１に送る。
【００１７】
通報処理制御部１３は、かご１内のインターホン４に配置された通報ボタンが押された場合又は自動的に通報を行う条件を満たした場合に、管制センター１６への通報処理を行う。この通報処理制御部１３による通報は、通報が必要な状況が発生してから、一定時間（例えば３０秒）が経過するまで待機し、一定時間が経過した後に行われる。また、通報処理制御部１３は、管制センター１６での通報の応答に基づいて、インターホン４と管制センター１６とによる通話の制御を行う。但し、ここでの通報には、管制センター１６側の作業者との通話を要求する通報と、単に故障状態を管制センター１６に通報するだけの通報の２種類の通報がある。通報処理制御部１３が通報処理を行う場合には、かご１内の状況（乗客種別など）や故障状況などの情報を同時に送信してもよい。
【００１８】
通報開始時限変更部１４は、通報処理制御部１３での通報が必要な状況が発生したときの条件を判断して、特定の条件を満たす場合には、即時に通報する処理を行う。即時に通報する特定の条件については後述するが、ここで「即時」とは、従来、一定時間が経過するまで待機して通報を行っていたのに対し、この待機する一定時間を短縮して即時に通報する処理を行うことを意味する。
【００１９】
エレベーターの運行を監視する管制センター１６は、一般公衆回線１５を介してエレベーター制御装置９と接続されている。管制センター１６は、管制状況を表示するディスプレイ（不図示）を備え、管制作業を行う者がそのディスプレイでの表示内容を確認して、エレベーターの状況を確認する。ここで、エレベーター制御装置９の通報処理制御部１３から異常時の通報があった場合には、管制作業を行う者がその通報に応答する操作を行うことで、該当するエレベーターのかご１内のインターホン４と管制センター１６との通話を行うことが可能な状態になる。
【００２０】
［２．制御処理例］
図２は、本例のエレベーター制御装置９によるエレベーターの故障発生時の制御処理例を示すフローチャートである。
まず、エレベーター制御装置９は、エレベーター故障発生判定部１０が故障の発生を判定したか否かを判断する（ステップＳ１）。ここで、故障の発生を判定しない場合には、処理を終了する。ステップＳ１で、エレベーター故障発生判定部１０が故障の発生を判定した場合、かご内乗客判定部１２は、画像監視装置５での監視状況に基づいて、かご１内の乗客のチェックを実施する（ステップＳ２）。
【００２１】
そして、エレベーター制御装置９は、ステップＳ２でのチェック結果が、子供が単独で、または車椅子利用者が単独でかご１に乗っている状況であるか否かを判断する（ステップＳ３）。
ステップＳ３の判断で、子供または車椅子利用者が単独でかご１に乗っている状況であるとき、エレベーター制御装置９は、閉じ込め故障判定部１１での判定に基づいて、現在の故障が閉じ込め故障であるか否かを判断する（ステップＳ４）。ここで、閉じ込め故障であると判断したときには、通報開始時限変更部１４が通報までの待ち時間を変更して、通報処理制御部１３が即時に管制センター１６に通報処理を実行する（ステップＳ５）。ここでの通報処理は、通話を要求する通報である。
【００２２】
また、ステップＳ４で、故障内容が閉じ込め故障でないと判断した場合、エレベーター制御装置９は、故障の検知を開始してから一定時間（例えば３０秒）が経過して故障状態が継続しているか否かを判断する（ステップＳ６）。なお、ステップＳ４で「故障内容が閉じ込め故障でないと判断するケース」としては、例えば、エレベーターがいずれかの停止階に止まってドア２が開いた状態になっていることなどが考えられる。
【００２３】
ステップＳ６で故障状態が継続していないと判断したときには、エレベーター制御装置９は、通報処理を行わずに、故障に関する処理を終了する。
そして、ステップＳ６で故障状態が継続していると判断したときには、通報処理制御部１３が管制センター１６に通報処理を実行する（ステップＳ７）。このときの通報処理についても、通話を要求する通報である。
【００２４】
また、ステップＳ３で、子供または車椅子利用者が単独でかご１に乗っている状況でないと判断された場合には、エレベーター制御装置９は、閉じ込め故障判定部１１での判定に基づいて、現在の故障が閉じ込め故障であるか否かを判断する（ステップＳ８）。ここで、「子供または車椅子利用者が単独でかご１に乗っている状況でない場合」とは、車椅子利用者でない大人がかご１に乗っている場合の他、子供や車椅子利用者がかご１に乗っている場合でも、単独利用でない場合などが考えられる。
【００２５】
ステップＳ８で、故障内容が閉じ込め故障であると判断された場合には、エレベーター制御装置９は、故障の検知を開始してから一定時間（例えば３０秒）が経過して故障状態が継続しているか否かを判断する（ステップＳ９）。ステップＳ９で故障状態が継続していないと判断したときには、エレベーター制御装置９は、通報処理を行わずに、ここでの故障に関する処理を終了する。
そして、ステップＳ９で故障状態が継続していると判断したときには、通報処理制御部１３が管制センター１６に通報処理を実行する（ステップＳ１０）。この通報処理も、通話を要求する通報である。
【００２６】
また、ステップＳ８で、故障内容が閉じ込め故障でないと判断された場合には、エレベーター制御装置９は、故障の検知を開始してから一定時間（例えば３０秒）が経過して故障状態が継続しているか否かを判断する（ステップＳ１１）。ステップＳ１１で故障状態が継続していないと判断したときには、エレベーター制御装置９は、通報処理を行わずに、ここでの故障に関する処理を終了する。
一方、ステップＳ１１で故障状態が継続していると判断したときには、通報処理制御部１３が管制センター１６に通報処理を実行する（ステップＳ１０）。この通報処理は、通話を要求しない通報処理である。
【００２７】
そして、ステップＳ５，Ｓ７，Ｓ１０，Ｓ１２での通報処理が行われることで、管制センター１６に通報の情報が伝送され、管制センター１６のディスプレイに該当するエレベーターからの通報要求があることが表示される。
ステップＳ５，Ｓ７，Ｓ１０の場合には、通話処理を求める通報であるため、管制センター１６での管制作業員による操作が行われることで、かご１のインターホン４と管制センター１６側との通話が開始される。ステップＳ５のケースとステップＳ９のケースでは、閉じ込め故障であって、かご１内に乗客がいるため、乗客の様子を確認するための通話が必要である。
【００２８】
また、ステップＳ７のケースでは、閉じ込め故障ではないが、子供又は車椅子利用者の単独乗車であるため、故障が発生した際に、そのままかご１に乗ったままである可能性があり、通話が行われる。
一方、ステップＳ１２の場合には、通話を求めない通報であるため、管制センター１６では、管制作業員が該当するかご１が故障したことを確認して、復旧作業員の派遣などのその後の対処に移る。
【００２９】
図３は、エレベーターのかご１内の様子の例を示す。かご１内には、２台のカメラ３Ｌ，３Ｒを備えたステレオカメラ３が配置され、ステレオカメラ３がかご１の内部を撮影した立体画像を画像監視装置５が画像解析することで、乗客種別が判定される。すなわち、乗客種別判定部７は、立体画像の解析から、かご１内の乗客Ｐ１の身長ｈ１を判断することができる。ここで、画像監視装置５の乗客種別判定部７は、身長ｈ１の値が、予め設定された閾値以上か、閾値未満かによって、大人か子供かを区別する。例えば身長ｈ１が１４０ｃｍ以上か否かで大人か子供かを区別する。
【００３０】
また、かご１内の乗客Ｐ２が、車椅子Ｗの利用者である場合には、画像監視装置５の乗客種別判定部７が、ステレオカメラ３がかご１の内部を撮影した立体画像から、車椅子Ｗの形状を認識することで、車椅子利用者を検知することができる。この車椅子Ｗを画像認識する処理は、立体画像である必要はなく、ステレオカメラ３のいずれか一方のカメラ３Ｌ，３Ｒが撮影した画像から認識してもよい。
【００３１】
なお、図３はそれぞれの種別の乗客を判別する様子を示す図で、図２のフローチャートのステップＳ５での即時通報が行われる例を示すものではない。すなわち、図２のフローチャートのステップＳ５での即時通報が行われる例は、子供の乗客Ｐ１だけがかご１に乗っている場合か、または車椅子利用者の乗客Ｐ２だけがかご１に乗っている場合である。具体的には、例えば図３に示すように子供の乗客Ｐ１と車椅子利用者の乗客Ｐ２の二人が同時にかご１内に乗っている場合は、エレベーター制御装置９は、図２のフローチャートのステップＳ３で単独利用でないと判断し、ステップＳ５の処理には移行しない。但し、後述する変形例で説明するように、子供の乗客Ｐ１と車椅子利用者の乗客Ｐ２の二人が同時にかご１内に乗っている場合に、図２のフローチャートのステップＳ５の処理に移行するようにしてもよい。
【００３２】
また、図３の例では、かご１内のドア２から離れた壁の上部にステレオカメラ３を配置する例としたが、そのかご１内のその他の箇所にステレオカメラ３を配置してもよい。
【００３３】
図４は、管制センター１６で、いずれかのエレベーターから通報があった際の画面の概要を示す。図４の例では、「１．通報発生」、「２．通報発生」、・・・と、複数台のエレベーターからの通報が多数あった場合を示すが、通報が管制センター１６に届いた順に上から順番に表示される。画面では、それぞれの通報発生の項目毎に、ビル番号や号機番号などの詳細が表示され、管制作業員が該当するエレベーターのかご内と通話するための「応答」のボタンが、各通報発生の項目毎に表示される。管制作業員が「応答」のボタンを選択してクリックすることで、管制センター１６は、該当するエレベーターのかご内のインターホン４との通話状態に移行する。
【００３４】
本例の場合、例えば子供が単独利用中に閉じ込め故障があったエレベーターの通報は、図４に示すように、一番上の「１．通報発生」として表示されるように制御される。例えば地震が発生して複数台のエレベーターでほぼ同時に閉じ込め故障が発生したとしても、子供が単独で乗ったかご１の場合には、エレベーター制御装置９は、予め設定された一定時間待機することなく、即時の通報処理が実行されるように制御する。これに対して、子供の単独利用又は車椅子利用者の単独利用でない場合には、予め設定された一定時間（例えば３０秒）が経過するまで通報が行われず、子供単独利用又は車椅子単独利用中のエレベーターよりも下位に表示されることになる。
【００３５】
なお、図４の例では、一番上の「１．通報発生」の詳細情報として、「子供単独利用中」と表示するようにした。通報時にエレベーター制御装置９がこのような「子供単独利用中」又は「車椅子単独利用中」の情報を通報時に送信した場合には、管制センター１６がこのような状態が判る表示を行うようにしてもよい。
【００３６】
以上説明したように本例のエレベーター制御装置９を備えたシステムによると、通常時は管制センターへの通報が一定時間待機してから行われ、特定の条件を満たした場合（子供や車椅子利用者の単独利用時）には即時に通報が行われるようになる。したがって、管制センターで該当するエレベーターについては優先的に応答できるようになり、緊急通報が同時期に多発した場合でも、即時に通話応答が必要な閉じ込め利用者に迅速に対応できるようになる。
【００３７】
また、本例によると、エレベーター制御装置９が通報を行う処理として、図２のフローチャートのステップＳ５，Ｓ７，Ｓ１０については通報と同時に通話を求めるようしたが、ステップＳ１２での通報時には、通話を求めない通報を行うようにした。これは、ステップＳ１２での通報が、子供や車椅子利用者の単独利用でなく、かつ閉じ込め故障でない場合であり、そのままでもかご１から乗客は外に出ることが可能なため、管制センター１６では不要な通話応答の発生を適切に阻止できるようになる。
【００３８】
一方、ステップＳ７での通報時には、子供や車椅子利用者の単独利用時であるため、閉じ込め故障でない場合でも、かご１内に利用者が留まっている可能性があり、通報処理と同時に通話処理が行われることで、かご１内との通話で状況を確認できるようになる。
このように本例の場合には、自動的な通報時の通話の可否が適切に選択されるようになる。但し、ステップＳ１２での通報時に通話処理を行わない通報を行う点や、ステップＳ７での通報時に通話処理を行う点は一例であり、これらの処理時に通話処理の可否を変更してもよい。
【００３９】
［３．変形例］
なお、本発明は上述した実施の形態例に限定されるものではなく、様々な変形例が含まれる。例えば、上述した実施の形態例は本発明を分かりやすく説明するために詳細に説明したものであり、必ずしも説明した全ての構成を備えるものに限定されるものではない。
【００４０】
また、上述した実施の形態例では、通常の通報時に待機する時間を３０秒とし、特定の条件を満たしたとき即時に通報するようしたが、これらの時間は一例であり、その他の時間を設定してもよい。すなわち、特定の条件を満たしたとき、通常の通報時に待機する時間よりも短い待機時間を設定するようにすれば、上述した実施の形態例と同様に管制センター側で優先的に応答できる。
また、図３で説明した利用者が子供であると判断する身長の値についても一例であり、その他の身長で子供と判断するようにしてもよいし、複数の閾値を設け、例えば利用者の種別を小学生低学年以下、小学生高学年、中学生以上、のように細かく判別してもよい。
【００４１】
また、上述した実施の形態例では、子供や車椅子利用者が単独でかご１に乗っている場合に、即時に通報を行うようにしたが、子供や車椅子利用者が複数人でかご１に乗っている場合にも、同様の即時通報を行うようにしてもよい。例えば、かご１内の利用者が、子供や車椅子利用者で、かつ２人までのとき即時通報を行い、３人以上のときには即時通報しないようにしてもよい。
あるいはまた、利用者が何人であっても子供だけの場合や、車椅子利用者だけの場合には、同様の即時通報を行うようにしてもよい。あるいは、子供と車椅子利用者が同乗している場合などについても、即時通報を行うようにしてもよい。このように、利用者の身長情報、車椅子利用者情報、利用者人数情報などを組み合わせて判定することにより、エレベーター保有者や管理者の細かなニーズに合わせた即時通報を実現することができる。
【００４２】
また、上述した実施の形態例では、子供と車椅子利用者を識別するようにした。これに対して、例えば病院，リハビリテーション施設，高齢者施設などで使用される歩行を補助する器具（歩行器など）を持った利用者をカメラ画像などから検出したとき、エレベーター制御装置９は、車椅子利用者と同等に扱い、即時通報するようにしてもよい。
【００４３】
さらに、子供や車椅子利用者を認識する手段として、カメラ（ステレオカメラ）を利用するようにしたが、その他の検知装置を利用してもよい。例えば、かご１内の乗車人数を検知するために、赤外線センサなどの各種検知装置を設けるようにしてもよい。
【００４４】
また、上記の各構成、機能、処理部、処理手段等は、それらの一部又は全部を、例えば集積回路で設計する等によりハードウェアで実現してもよい。また、上記の各構成、機能などは、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４５】
１…かご、２…ドア、３…ステレオカメラ、４…インターホン、５…画像監視装置、６…乗客有無判定部、７…乗客種別判定部、８…同乗者有無判定部、９…エレベーター制御装置、１０…エレベーター故障発生判定部、１１…閉じ込め故障判定部、１２…かご内乗客判定部、１３…通報処理制御部、１４…通報開始時限変更部、１５…一般公衆回線、１６…管制センター
【図１】
0006492020.tif 000002
【図２】
0006492020.tif 000003
【図３】
0006492020.tif 000004
【図４】
0006492020.tif 000005